(57)【要約】      （修正有）【課題】携帯電話や他の文字入力が必要な機器において、文字の入力速度を速め、同時に必要とするボタン数を限りなく少なくした小型文字入力装置を提供する。【解決手段】３つのボタンの他に、ホイールやタッチセンサーといったスクロールが可能な部品を用いる。そして、スクロールを「１」、ホイールの垂直押しを「２」、１つ目のボタンを「３」２つめのボタンを「４」３つめのボタンを「５」１つ目と３つ目のボタンの同時押しを「６」１つ目と２つ目のボタンの同時押しを「７」とし、かつ「４」「５」「６」「７」の長押にさらに別個の効果を持たせる。さらに文字入力を４つのモード（Ａ−移動モード、Ｂ−網掛けモード、Ｃ−入力モード、Ｄ−変換モード）に分け、各モードに応じてボタンを押したときの効果を変えることで、なるべく少ないボタン数で、より効率的な文字入力を行うことが出来る。【選択図】図１
0003148595.tif 000002
【実用新案登録請求の範囲】
【請求項１】
ホイール、タッチセンサーと言ったスクロール可能な部品を用ることとボタンの長押、同時押しを駆使することで文字入力に必要とするボタン数を最少３つ＋ホイール（及びタッチセンサー）に絞り、且つ文字入力の効率性の向上を目的とした入力方式。
【考案の詳細な説明】
【技術分野】
【０００１】携帯電話や固定電話機の子機等、設置できるボタン数が限られている中で文字入力が必要な機器の場合に、ホイールやタッチセンサー等のスクロールすることが可能な部品を利用し、より少ないボタン数で、より効率的に目的の文字を入力できるようにしたものである。この方式を使えば、最少で３つのボタンと、一つのホイール（及びタッチセンサー）さえあれば文字入力が可能になる。
【背景技術】
【０００２】従来、日本語を入力する際、４６音を１０の代表文字ボタンに配置、目的の文字に行き着くまで各ボタンを押し、一文字を入力していた。アルファベットの場合も同様に、アルファベットをＡＢＣ  ＤＥＦ  ＧＨＩ  ＪＫＬ  ＭＮＯ  ＰＱＲ  ＳＴＵ  ＶＷＸＹＺの計８グループに分け、目的の文字に行き当たるまで押すことで、一文字を入力していた。
【考案の開示】
【考案が解決しようとする課題】
【０００３】従来の方式では、目的の文字を入力するために複数回ボタンを押す必要があり、非効率で入力速度にも限界があった。加えてボタン数や位置が決まっているので、入力装置を設置している機器自体のデザインや大きさにも制約を加える元となっていた。
【課題を解決するための手段】
【０００４】ホイール、タッチセンサーと言ったスクロール可能な部品に、文字入力を担当させると同時に長押、同時押しを駆使し必要とするボタン数を極力減らす。
【考案の効果】
【０００５】何度もボタンを押すことなく、かつホイール一つで複数の文字を担当させることが出来るようになる。結果、入力速度も向上し、ボタン数も最少３つ＋ホイール（及びタッチセンサー）に減らせるので従来とは違った形状やサイズの機器もデザインできるようになる。
【実施例】
【０００６】スクロール「１」、ホイールの垂直押し「２」、ボタン１「３」ボタン２「４」ボタン３「５」ボタン１、ボタン３同時押し「６」ボタン１、ボタン２同時押し「７」とする。４つのモード（Ａ−移動モード、Ｂ−網掛けモード、Ｃ−入力モード、Ｄ−変換モード）があり、各モードに応じてボタンを押したときの効果が変わる。【０００７】Ａ−移動モード。「１」カーソル横方向移動。「２」Ｃ−入力モード。「３」＋「１」カーソル縦方向移動「４」現在のカーソルの位置を始点にしてＢ−網掛けモード「５」カーソルの縦棒の後ろの一文字削除。長押で後ろの文字を順次削除。「６」一階層上へ戻る。（新規作成メニュー｛送信先、添付ファイル、件名、本文等の選択画面｝）。「６」長押で一時保留して待ち受け画面へ。「７」メニュー（貼り付け、決定、送信、元に戻す、一時保留、保存、テンプレート等）もう一度押すとメニューを閉じる。「７」長押でマナーモード。【０００８】Ｂ−網掛けモード「１」網掛けを始点から終点まで引っ張り、「２」決定。「３」今の終点を始点に変更。「４」選択文字だけで再変換、Ｄ−変換モード。「５」選択全削除。「６」Ａ−移動モードへ戻る。「６」長押で一時保留して待ち受け画面へ。「７」メニュー（｛選択部位を｝コピー、切り取り、貼り付け、すべて選択、一時保留、新単語登録、テンプレート登録等）もう一度押すとメニューを閉じる。「７」長押でマナーモード。【０００９】Ｃ−入力モード「２」記号選択（、。スペース！？「」改行等）。「２」長押で改行。「４」文字種変更（ひらがな、カタカナ、数字、アルファベット、記号、絵文字、顔文字、テンプレート）。「５」一文字削除。「１」子音選択→「２」決定→「１」母音選択→「２」決定で一文字入力完了、次文字入力へ。子音選択時に「３」で子音の行の切り替え（アカサタナとハマヤラワ）母音選択時に「３」で母音表示を特殊音に変更。ハ行だけは押すたびに順次（アイウエオ→ァィゥェォ、ハヒフヘホ→バビブベボ→パピプペポ）。「４」現在入力している文字までで変換、Ｄ−変換モードへ。「５」取り消し（母音選択→子音選択→キャンセル）。「６」Ａ−移動モードへ戻る。「６」長押で一時保留して待ち受け画面へ。「７」メニュー（決定、元に戻す、一時保留、保存、テンプレート等）もう一度押すとメニューを閉じる。「７」長押でマナーモード。［アルファベットの場合、ＡＢＣ  ＤＥＦ  ＧＨＩ  ＪＫＬ  ＭＮＯ  ＰＱＲ  ＳＴＵ  ＶＷＸ  ＹＺの９グループに分け、「１」第一選択（上記子音選択と置き換え）で目標の文字が所属するグループを選択「２」決定→第二選択（上記母音選択と置き換え）でグループ内の目標とする文字を選択「２」決定で一文字入力］【００１０】Ｄ−変換モード「１」選択。「２」決定。「３」次の選択肢郡へジャンプ。「４」単漢字変換、同時にＢ−網掛けモードへ。「５」変換キャンセル、Ｃ−入力モード。「６」変換キャンセル、Ａー移動モード。「６」長押で一時保留して待ち受け画面へ。「７」メニュー（全かな、全カナ変換、一時保留）もう一度押すとメニューを閉じる。「７」長押でマナーモード。【００１１】同時押し等、各種動作が集約し過ぎて複雑で慣れづらいという場合には、「６」と「７」を同時��しでなく独立したボタンとして増やすのも良い。機器のサイズや形状が許す場合には、さらにカナ変換ボタン、文字種変更ボタン等といった入力面の操作、マナーモードボタンやメールボタンといったショートカット的な操作のボタンを増やすことでより使いやすくすることが出来る。
【産業上の利用可能性】
【００１２】文字入力の際に最もボタン数を必要とすることが多い為、この方式を採用するなら、機器自体のボタン数を最少３つ＋ホイールにすることも可能。そうなれば、キーホルダー型ショックプルーフ携帯電話（図６）、サイコロ型携帯電話（図７）、腕時計型携帯電話（図８）、ガードサイズ薄型携帯電話（図９）、ネックレス型携帯電話（図１０）、クリップ型携帯電話（図１１）多ショートカットボタン付折りたたみ式携帯電話（図１２）など様々なタイプの携帯電話をデザイン出来ようになり、さらに小型化が望める。他にも家庭用電話器の子機、各種リモコン、電子辞書等に設置してデザインやサイズを変えられるのを始め、将来テレビがよりＰＣ化して、より複雑な操作が求められるようになる場合にも（マルチメディア、インターネット、ストリーミング放送等）テレビのリモコンに設置することで対応が出来るようになる。あるいはカーナビに設置して目的地入力や検索時の文字入力等を補佐するだけでなく、将来カーナビにインターネット等の機能が搭載されるような場合にも入力や操作を円滑に行えるようになる。親指にもボタンの付くタイプのホイールマウスがあれば、ＰＣの文字入力をマウスだけで行えるようになり、簡単な入力ならいちいちキーボードに触れることなく行えるようにもなる。
【図面の簡単な説明】
【００１３】
【図１】Ａ−移動モードにおける操作方法を示す図である。
【図２】Ｂ−網掛けモードにおける操作方法を示す図である。
【図３】Ｃ−入力モードにおける操作方法を示す１つ目の図である。
【図４】Ｃ−入力モードにおける操作方法を示す２つ目の図である。
【図５】Ｄ−変換モードにおける操作方法を示す図である。
【図６】この方式を利用したキーホルダー型携帯電話の例の図である。
【図７】この方式を利用したサイコロ型携帯電話の例の図である。
【図８】この方式を利用した腕時計型携帯電話の例の図である。
【図９】この方式を利用したカードサイズ薄型携帯電話の例の図である。
【図１０】この方式を利用したネックレス型携帯電話の例の図である。
【図１１】この方式を利用したクリップ型携帯電話の例の図である。
【図１２】この方式を利用した折りたたみ式携帯電話の例の図である。
【符号の説明】
【００１４】１  ホイール回転（選択）
２  ホイール垂直押し（決定）
３  ＳＨＩＦＴボタン（ボタン効果変更）
４  ＯＫボタン（変換）
５  ＮＧボタン（キャンセル）
６  ＳＨＩＦＴ＋ＮＧボタン同時押し（戻る）
７  ＳＨＩＦＴ＋ＯＫボタン同時押し（メニュー）
？  不特定のショートカットボタン
【図１】
0003148595.tif 000003
【図２】
0003148595.tif 000004
【図３】
0003148595.tif 000005
【図４】
0003148595.tif 000006
【図５】
0003148595.tif 000007
【図６】
0003148595.tif 000008
【図７】
0003148595.tif 000009
【図８】
0003148595.tif 000010
【図９】
0003148595.tif 000011
【図１０】
0003148595.tif 000012
【図１１】
0003148595.tif 000013
【図１２】
0003148595.tif 000014
【手続補正書】
【提出日】平成20年2月1日(2008.2.1)
【手続補正１】
【補正対象書類名】実用新案登録請求の範囲
【補正対象項目名】全文
【補正方法】変更
【補正の内容】
【実用新案登録請求の範囲】
【請求項１】
形状や大きさ故に設置できるボタン数に限りが有る文字入力操作が必要な機器に、ホイール、タッチセンサーと言たスクロール可能な部品と、それと同時に押すことが可能な位置に最低一つのシフトボタンを設置し、同時押しや長押しを駆使することで、文字入力に必要とする他のボタンの数を最少２つまで絞り、且つ文字入力の効率性の向上させる。
【請求項２】
シフトボタンでスクロール装置での選択候補の切り替えを行うことにより一度に表示される選択肢の数を減らし、且つ開始状態のカーソルの位置をその真ん中にすることで、最端までのスクロール距離を短くし、より高速で直感的に入力できるようにする。
【手続補正書】
【提出日】平成20年4月17日(2008.4.17)
【手続補正１】
【補正対象書類名】実用新案登録請求の範囲
【補正対象項目名】全文
【補正方法】変更
【補正の内容】
【実用新案登録請求の範囲】
【請求項１】
形状や大きさ故に設置できるボタン数に限りが有る機器に、ホイール、タッチセンサーと言たスクロール装置と、それと同時に押すことが可能な位置に最低一つのシフトボタンを設置し、同時押しや長押しを駆使することで、文字入力に必要とする他のボタンの数を最少２つまで絞り、且つ文字入力の効率性の向上させたスクロール式小型文字入力装置。